(57)【要約】【課題】設計段階における、建設物と設置場所との位置関係の把握を容易にする。【解決手段】３Ｄモデル設計システムは、建設物が設置される予定の区画の緯度経度情報を取得する区画情報取得手段と、建設物に対応する３Ｄモデル設計物を設計する設計手段と、その設計された３Ｄモデル設計物の寸法を算出する寸法算出手段と、その算出された寸法に基づいて３Ｄモデル設計物に対して緯度経度情報を付与する緯度経度付与手段と、を備える。【選択図】図１
2017168621.tif 000002
【特許請求の範囲】
【請求項１】
建設物が設置される予定の区画の緯度経度情報を取得する区画情報取得手段と、
前記建設物の３Ｄモデル設計物を設計する設計手段と、
前記設計された３Ｄモデル設計物の寸法を算出する寸法算出手段と、
前記算出された寸法に基づいて、前記３Ｄモデル設計物に前記緯度経度情報を付与する緯度経度付与手段と、
を備えることを特徴とする３Ｄモデル設計システム。
【請求項２】
前記区画の形状を取得する区画形状取得手段をさらに備え、
前記緯度経度付与手段は、前記取得された緯度経度情報及び区画形状に基づいて、前記３Ｄモデル設計物に当該緯度経度情報を付与する
ことを特徴とする請求項１に記載の３Ｄモデル設計システム。
【請求項３】
前記区画情報取得手段は、前記取得した区画形状の中心部又は何れか１以上の縁部の緯度経度情報を取得する
ことを特徴とする請求項２に記載の３Ｄモデル設計システム。
【請求項４】
前記３Ｄモデル設計物上に位置する座標の指定を受け付ける入力手段をさらに備え、
前記緯度経度付与手段は、前記３Ｄモデル設計物上の指定された座標に対して緯度経度情報を付与する
ことを特徴とする請求項１に記載の３Ｄモデル設計システム。
【請求項５】
前記３Ｄモデル設計物上の指定された座標に付与された緯度経度情報を、前記３Ｄモデル設計物と共に表示する表示手段をさらに備える
ことを特徴とする請求項４に記載の３Ｄモデル設計システム。
【請求項６】
建設物が設置される予定の区画の緯度経度情報を取得する区画情報取得ステップと、
前記建設物の３Ｄモデル設計物を設計する設計ステップと、
前記設計された３Ｄモデル設計物の寸法を算出する寸法算出ステップと、
前記算出された寸法に基づいて、前記３Ｄモデル設計物に前記緯度経度情報を付与する緯度経度付与ステップと、
を備えることを特徴とする３Ｄモデル設計方法。
【請求項７】
３Ｄモデル設計システムに、
建設物が設置される予定の区画の緯度経度情報を取得する区画情報取得ステップと、
前記建設物の３Ｄモデル設計物を設計する設計ステップと、
前記設計された３Ｄモデル設計物の寸法を算出する寸法算出ステップと、
前記算出された寸法に基づいて、前記３Ｄモデル設計物に前記緯度経度情報を付与する緯度経度付与ステップと、
を実行させることを特徴とするプログラム。
【発明の詳細な説明】
【技術分野】
【０００１】
本発明は、３Ｄモデル設計システム、方法、及びプログラムに関する。
【背景技術】
【０００２】
近年は建設物を設計するにあたって３Ｄモデル設計システムが用いられる。特許文献１には、地図と図面を連携することにより、複数の図面の位置的な関連性を容易に把握可能な連携地図表示装置が開示されている。
【先行技術文献】
【特許文献】
【０００３】
【特許文献１】特開２００３−１６２７２９号公報
【発明の概要】
【発明が解決しようとする課題】
【０００４】
従来、３Ｄモデル設計システム上で作成された３Ｄモデル設計物には、その３Ｄモデル設計物に基づいて建設される建設物の設置場所の位置に関する情報が付与されていなかった。そのため、３Ｄモデル設計システムによる設計段階で、建設物と設置場所との位置関係を把握することが困難であった。【０００５】
そこで本発明の目的は、設計段階で、建設物と設置場所との位置関係を容易に把握可能な３Ｄモデル設計システム、方法、及びプログラムを提供することにある。
【課題を解決するための手段】
【０００６】
一実施例に係る３Ｄモデル設計システムは、建設物が設置される予定の区画の緯度経度情報を取得する区画情報取得手段と、建設物に対応する３Ｄモデル設計物を設計する設計手段と、その設計された３Ｄモデル設計物の寸法を算出する寸法算出手段と、その算出された寸法に基づいて、３Ｄモデル設計物に緯度経度情報を付与する緯度経度付与手段と、を備える。【０００７】
３Ｄモデル設計システムは、区画の形状を取得する区画形状取得手段をさらに備えてよい。緯度経度付与手段は、その取得された緯度経度情報及び区画形状に基づいて、３Ｄモデル設計物に当該緯度経度情報を付与してよい。【０００８】
区画情報取得手段は、その取得した区画形状の中心部又は何れか１以上の縁部の緯度経度情報を取得してよい。【０００９】
３Ｄモデル設計システムは、３Ｄモデル設計物上に位置する座標の指定を受け付ける入力手段をさらに備えてよい。緯度経度付与手段は、３Ｄモデル設計物上の指定された座標に対して緯度経度情報を付与してよい。【００１０】
３Ｄモデル設計システムは、３Ｄモデル設計物上の指定された座標に付与された緯度経度情報を、３Ｄモデル設計物と共に表示する表示手段をさらに備えてよい。
【発明の効果】
【００１１】
本発明によれば、設計段階で、建設物と設置場所との位置関係を容易に把握することができる。
【図面の簡単な説明】
【００１２】
【図１】本実施形態の概要を説明するための図である。
【図２】３Ｄモデル設計システムの構成例を示す。
【図３】区画管理テーブルの構成例を示す。
【図４】座標管理テーブルの構成例を示す。
【図５】３Ｄモデル設計物の作成処理の例を示すフローチャートである。
【発明を実施するための形態】
【００１３】
以下、本発明の実施形態について、図面を参照しながら説明する。なお、下記の記載は本発明の一例であって、本発明の技術的範囲はこれに限られるものではない。
【００１４】
図１は、本実施形態の概要を説明するための図である。
【００１５】
３Ｄモデル設計システムは、ユーザが建設物を設計することを支援する計算機システムである。本実施形態では、３Ｄモデル設計システムによって設計されるものを「３Ｄモデル設計物」という。建設物及び３Ｄモデル設計物は、家やビルなどの建物に限られず、例えば、カメラで撮像された被写体であったり、公園や遊園地の遊具であったり、３Ｄモデル設計システムで設計できるものであれば何でもよい。また、３Ｄモデル設計システムで設計される３Ｄモデル設計物は、２次元及び３次元の何れであってもよい。２次元の３Ｄモデル設計物は、図面や間取り図であってよい。
【００１６】
３Ｄモデル設計システムは、建設物が設置される予定の場所（区画）に関する情報（「区画情報」という）を取得してよい。区画情報には、その区画の位置に関する情報（「緯度経度情報」という）、及び／又は、その区画の形状に関する情報（「区画形状情報」という）が含まれてよい。
【００１７】
３Ｄモデル設計システムの画面には、図１に示すように、区画２に対応する設計領域５が表示されてよい。図１における区画２の区画形状情報は「長方形」であり、３Ｄモデル設計システムは、区画２の各頂点の緯度経度情報４Ａ、４Ｂ、４Ｃ、４Ｄと、設計領域５の各頂点の座標６Ａ、６Ｂ、６Ｃ、６Ｄと、をそれぞれ対応付けてよい。３Ｄモデル設計システムは、区画２の縁部上の緯度経度情報と、設計領域５の縁部上の座標とを対応付けてよい。また、３Ｄモデル設計システムは、区画２の中心部の緯度経度４Ｅと、設計領域５の中心部の座標６Ｅとを対応付けてよい。
【００１８】
設計領域５内には、区画２に設置される建設物に対応する３Ｄモデル設計物７が表示されてよい。
【００１９】
３Ｄモデル設計システムのユーザは、緯度経度情報を知りたい３Ｄモデル設計物７の任意の座標を指定できてよい。そして、３Ｄモデル設計システムは、３Ｄモデル設計物７の寸法に基づいて、３Ｄモデル設計物７上に指定された座標に対応する緯度経度情報を算出してよい。例えば、ユーザから３Ｄモデル設計物７上の座標８Ａが指定された場合、３Ｄモデル設計システムは、座標８Ａに比較的近い座標６Ａに対応付けられている緯度経度情報４Ａと、当該座標６Ａから座標８Ａへのベクトル９を実際の寸法に換算した値とを用いて、当該座標８Ａに対応する緯度経度情報を算出してよい。
【００２０】
３Ｄモデル設計システムは、指定された座標８Ａに対応する緯度経度情報を、画面上に表示してよい。これによりユーザは、３Ｄモデル設計物７上の任意の座標について、当該３Ｄモデル設計物７に対応する建設物を区画２に設置した場合における経度緯度情報を容易に知ることができる。よってユーザは、設計段階において、建設物と区画との位置関係を容易に把握することができる。
【００２１】
図２は、３Ｄモデル設計システム２０の構成例を示す。
【００２２】
３Ｄモデル設計システム２０は、ハードウェアとして、ＣＰＵ４０、メモリ４２、ストレージ４６、及び、ネットワークＩ／Ｆ４４と、これらのデバイスを相互接続する内部バス４８とを備えてよい。
【００２３】
ネットワークＩ／Ｆ４４は、所定の通信ネットワークを介して他の装置と送受信するデータを制御する。ネットワークＩ／Ｆ４４は、有線Ｉ／Ｆ及び無線Ｉ／Ｆの何れであってもよい。ネットワークＩ／Ｆ４４は、例えば、ＮＩＣ（Ｎｅｔｗｏｒｋ  Ｉｎｔｅｒｆａｃｅ  Ｃａｒｄ）であってよい。
【００２４】
ＣＰＵ４０は、メモリ４２に格納されているプログラムを実行することにより、３Ｄモデル設計システム２０の有する様々な機能を実現する。
【００２５】
メモリ４２には、３Ｄモデル設計システム２０の機能を実現するためのプログラム及びデータが格納される。メモリ４２は、例えば、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）などである。
【００２６】
メモリ４２には、プログラムとして、区画情報取得手段１１０、設計手段１１２、寸法算出手段１１４、緯度経度付与手段１１６、入出力手段１１８が格納されてよい。これらのプログラムは、ストレージ４６に保持され、適宜メモリ４２に読み出されてもよい。各プログラムの説明については後述する。
【００２７】
ストレージ４６には、３Ｄモデル設計システム２０で使用されるプログラム及び／又はデータが格納される。ストレージ４６は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）などである。ストレージ４６には、データとして、３Ｄモデル設計データ２００、区画管理テーブル３００、及び、座標管理テーブル４００が格納されてよい。
【００２８】
３Ｄモデル設計データ２００は、３Ｄモデル設計物に関するデータ（２次元の図面データ、３次元のモデルデータなど）である。３Ｄモデル設計データ２００は、設計手段１１２によって作成されてよい。
【００２９】
次に、区画管理テーブル３００及び座標管理テーブル４００について説明する。
【００３０】
図３は、区画管理テーブル３００の構成例を示す。
【００３１】
区画管理テーブル３００は、建設物を設置する区画の情報（区画情報）を管理する。区画管理テーブル３００は、データ項目として、区画ＩＤ３０２、区画形状３０４、及び、区画位置３０６を有してよい。
【００３２】
区画ＩＤ３０２には、区画の識別子が格納される。
【００３３】
区画形状３０４には、区画ＩＤ３０２の区画形状情報が格納される。区画形状３０４には、例えば、長方形、台形、多角形、旗竿形、楕円形などが格納されてよい。
【００３４】
区画位置３０６には、区画ＩＤ３０２の区画に含まれる緯度経度情報が少なくとも１つ格納される。区画位置３０６には、区画ＩＤ３０２の区画の頂点、中心点又は縁部上の緯度経度情報が格納されてよい。区画形状３０４が多角形の場合、区画位置３０６には、その多角形の各頂点の緯度経度情報が格納されてよい。区画形状３０４が楕円形の場合、区画位置３０６には、その楕円形の中心点、長軸の両端、及び、短軸の両端の緯度経度情報が格納されてよい。
【００３５】
図４は、座標管理テーブル４００の構成例を示す。
【００３６】
座標管理テーブル４００は、３Ｄモデル設計物上の座標と、当該３Ｄモデル設計物に対応する建設物を区画に設置した場合における実際の緯度経度情報と、の対応関係を管理する。座標管理テーブル４００は、データ項目として、区画ＩＤ４０２、設計ＩＤ４０３、設計寸法４０４、座標４０６、区画位置４０８を有してよい。
【００３７】
区画ＩＤ４０２には、区画管理テーブル３００の区画ＩＤ３０２の何れかが格納される。
【００３８】
設計ＩＤ４０３には、区画ＩＤ４０２の区画に設置される建設物に対応する３Ｄモデル設計物の識別子が格納される。なお、１つの区画に複数の建設物が設置される場合、１つの区画ＩＤ４０２に複数の設計ＩＤ４０３が対応付けられてよい。
【００３９】
設計寸法４０４には、例えば、３Ｄモデル設計システム２０が表示する設計領域上の１目盛り当たりの実際の寸法が格納される。
【００４０】
座標４０６には、設計ＩＤ４０３の３Ｄモデル設計物上の座標が格納される。座標４０６には、ユーザが指定した座標が格納されてよい。
【００４１】
区画位置４０８には、座標４０６に対応する緯度経度情報が格納される。
【００４２】
図４の例は、座標４０６（Ｘ１，Ｙ１）が、区画位置４０８（東経Ａ１度，北緯Ｂ１度）に対応していることを示す。
【００４３】
図２の説明に戻る。
【００４４】
区画情報取得手段１１０は、区画情報を取得する。区画情報には、区画形状情報及び緯度経度情報が含まれてよい。なお、区画形状情報を取得する手段を「区画形状取得手段」と呼んでもよい。区画情報取得手段１１０は、取得した区画情報を、区画管理テーブル３００に格納してよい。区画情報取得手段１１０は、区画情報をどのような手段で取得してもよい。例えば、区画情報取得手段１１０は、区画情報を所定のサーバからダウンロードしてもよいし、所定の記憶媒体（ＵＳＢメモリ、ＤＶＤ等）から読み出してもよい。
【００４５】
設計手段１１２は、ユーザが３Ｄモデル設計物を作成することを支援する機能（すなわち３Ｄモデル設計の機能）を提供する。
【００４６】
寸法算出手段１１４は、３Ｄモデル設計物の寸法（設計寸法）を算出し、座標管理テーブル４００の設計寸法４０４に格納する。
【００４７】
緯度経度付与手段１１６は、寸法算出手段１１４によって算出された寸法に基づいて、例えば次のように、３Ｄモデル設計物に緯度経度情報を付与する。すなわち、緯度経度付与手段１１６は、区画管理テーブル３００の区画位置３０６と設計寸法４０４とを用いて、３Ｄモデル設計物上の座標に対応する緯度経度情報を算出してよい。そして、緯度経度付与手段１１６は、その３Ｄモデル設計物上の座標と、その算出した緯度経度情報とを対応付けて、座標管理テーブル４００に格納してよい。少なくとも１点の座標と緯度経度情報との対応関係が判明すれば、設計寸法４０４によって換算することにより、３Ｄモデル設計物上の他の座標についても緯度経度情報を算出することができる。
【００４８】
入出力手段１１８は、ユーザから３Ｄモデル設計物の作成に関する操作を受け付けたり、画面上に３Ｄモデル設計物や操作に関するＧＵＩなどを表示したりする。
【００４９】
図５は、３Ｄモデル設計物の作成処理の例を示すフローチャートである。
【００５０】
ユーザは、作成又は編集する３Ｄモデル設計物の設計ＩＤ４０３を選択する（ステップＳ１００）。この選択された設計ＩＤ４０３を、本図の説明において「選択設計ＩＤ」という。
【００５１】
区画情報取得手段１１０は、選択設計ＩＤに対応する区画ＩＤ４０２の区画情報を取得し、区画管理テーブル３００に登録する（ステップＳ１０２）。
【００５２】
緯度経度付与手段１１６は、選択設計ＩＤに係る少なくとも１つの座標と緯度経度情報とを対応付けて、座標管理テーブル４００に登録する（ステップＳ１０４）。例えばユーザが、入出力手段１１８を介して、３Ｄモデル設計物上から１点の座標を、区画上から１点の緯度経度情報を選択すると、緯度経度付与手段１１６が、その選択された座標と緯度経度情報とを対応付けてよい。
【００５３】
設計手段１１２は、入出力手段１１８と連携して、３Ｄモデル設計物を作成するためのＧＵＩや３Ｄモデル設計物を画面上に表示する。ユーザは、このＧＵＩを操作して３Ｄモデル設計物を作成してよい。このとき、ユーザが３Ｄモデル設計物上の座標を指定すると、緯度経度付与手段１１６は、その指定された座標に対応する緯度経度情報を算出して表示してよい（ステップＳ１０６）。さらに、緯度経度付与手段１１６は、その指定された座標と、その算出された緯度経度情報とを対応付けて、座標管理テーブル４００に登録してよい。
【００５４】
設計手段１１２は、ユーザから３Ｄモデル設計物の作成終了の操作を受領したら（ステップＳ１０８：ＹＥＳ）、本処理を終了する。
【００５５】
以上の処理によれば、ユーザは、３Ｄモデル設計物の作成段階において、３Ｄモデル設計物に対応する建設物を区画に設置したときの緯度経度情報を容易に知ることができる。
【００５６】
上述した実施形態は、本発明の説明のための例示であり、本発明の範囲を実施形態にのみ限定する趣旨ではない。当業者は、本発明の要旨を逸脱することなしに、他の様々な態様で本発明を実施することができる。
【符号の説明】
【００５７】
２０…３Ｄモデル設計システム  １１０…区画情報取得手段  １１２…設計手段  １１４…寸法算出手段  １１６…緯度経度付与手段  １１８…入出力手段  ２００…３Ｄモデル設計データ  ３００…区画管理テーブル  ４００…座標管理テーブル
【図１】
2017168621.tif 000003
【図２】
2017168621.tif 000004
【図３】
2017168621.tif 000005
【図４】
2017168621.tif 000006
【図５】
2017168621.tif 000007
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
建設物が設置される予定の区画の緯度経度情報を取得する区画情報取得手段と、
前記建設物の３Ｄモデル設計物を設計する設計手段と、
前記設計された３Ｄモデル設計物の寸法を算出する寸法算出手段と、
前記算出された寸法に基づいて、前記３Ｄモデル設計物に前記緯度経度情報を付与する緯度経度付与手段と、
前記３Ｄモデル設計物上に位置する座標の指定を受け付ける入力手段と、
を備え、
前記緯度経度付与手段は、前記３Ｄモデル設計物上の指定された座標に対して、緯度経度算出済みの近傍の座標から、前記指定された座標へのベクトルを実際の寸法に換算した値をもとに、緯度経度情報を付与することを特徴とする３Ｄモデル設計システム。
【請求項２】
前記区画の形状を取得する区画形状取得手段をさらに備え、
前記緯度経度付与手段は、前記取得された緯度経度情報及び区画形状に基づいて、前記３Ｄモデル設計物に当該緯度経度情報を付与する
ことを特徴とする請求項１に記載の３Ｄモデル設計システム。
【請求項３】
前記区画情報取得手段は、前記取得した区画形状の中心部又は何れか１以上の縁部の緯度経度情報を取得する
ことを特徴とする請求項２に記載の３Ｄモデル設計システム。
【請求項４】
（削除）
【請求項５】
前記３Ｄモデル設計物上の指定された座標に付与された緯度経度情報を、前記３Ｄモデル設計物と共に表示する表示手段をさらに備えることを特徴とする請求項１から請求項３のいずれか一項に記載の３Ｄモデル設計システム。
【請求項６】
建設物が設置される予定の区画の緯度経度情報を取得する区画情報取得ステップと、
前記建設物の３Ｄモデル設計物を設計する設計ステップと、
前記設計された３Ｄモデル設計物の寸法を算出する寸法算出ステップと、
前記算出された寸法に基づいて、前記３Ｄモデル設計物に前記緯度経度情報を付与する緯度経度付与ステップと、
前記３Ｄモデル設計物上に位置する座標の指定を受け付ける入力ステップと、
を備え、
前記緯度経度付与ステップは、前記３Ｄモデル設計物上の指定された座標に対して、緯度経度算出済みの近傍の座標から、前記指定された座標へのベクトルを実際の寸法に換算した値をもとに、緯度経度情報を付与することを特徴とする３Ｄモデル設計方法。
【請求項７】
３Ｄモデル設計システムに、
建設物が設置される予定の区画の緯度経度情報を取得する区画情報取得ステップと、
前記建設物の３Ｄモデル設計物を設計する設計ステップと、
前記設計された３Ｄモデル設計物の寸法を算出する寸法算出ステップと、
前記算出された寸法に基づいて、前記３Ｄモデル設計物に前記緯度経度情報を付与する緯度経度付与ステップと、
前記３Ｄモデル設計物上に位置する座標の指定を受け付ける入力ステップと、
を実行させることを特徴とするプログラムにおいて、
前記緯度経度付与ステップでは、前記３Ｄモデル設計物上の指定された座標に対して、緯度経度算出済みの近傍の座標から、前記指定された座標へのベクトルを実際の寸法に換算した値をもとに、緯度経度情報を付与することを特徴とするプログラム。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
建設物が設置される予定の区画の緯度経度情報を取得する区画情報取得手段と、
前記建設物の３Ｄモデル設計物を設計する設計手段と、
前記設計された３Ｄモデル設計物の寸法を算出する寸法算出手段と、
前記算出された寸法に基づいて、前記３Ｄモデル設計物に前記緯度経度情報を付与する緯度経度付与手段と、
前記３Ｄモデル設計物上に位置する座標の指定を受け付ける入力手段と、
を備え、
前記緯度経度付与手段は、前記３Ｄモデル設計物上の指定された座標に対して、緯度経度算出済みの近傍の座標から、前記指定された座標へのベクトルを実際の寸法に換算した値をもとに、緯度経度情報を付与することを特徴とする３Ｄモデル設計システム。
【請求項２】
前記区画の形状を取得する区画形状取得手段をさらに備え、
前記緯度経度付与手段は、前記取得された緯度経度情報及び区画形状に基づいて、前記３Ｄモデル設計物に当該緯度経度情報を付与する
ことを特徴とする請求項１に記載の３Ｄモデル設計システム。
【請求項３】
前記区画情報取得手段は、前記取得した区画形状の中心部又は何れか１以上の縁部の緯度経度情報を取得する
ことを特徴とする請求項２に記載の３Ｄモデル設計システム。
【請求項４】
前記３Ｄモデル設計物上の指定された座標に付与された緯度経度情報を、前記３Ｄモデル設計物と共に表示する表示手段をさらに備えることを特徴とする請求項１から請求項３のいずれか一項に記載の３Ｄモデル設計システム。
【請求項５】
３Ｄモデル設計システムが実行する３Ｄモデル設計方法であって、
建設物が設置される予定の区画の緯度経度情報を取得する区画情報取得ステップと、
前記建設物の３Ｄモデル設計物を設計する設計ステップと、
前記設計された３Ｄモデル設計物の寸法を算出する寸法算出ステップと、
前記算出された寸法に基づいて、前記３Ｄモデル設計物に前記緯度経度情報を付与する緯度経度付与ステップと、
前記３Ｄモデル設計物上に位置する座標の指定を受け付ける入力ステップと、
を備え、
前記緯度経度付与ステップは、前記３Ｄモデル設計物上の指定された座標に対して、緯度経度算出済みの近傍の座標から、前記指定された座標へのベクトルを実際の寸法に換算した値をもとに、緯度経度情報を付与することを特徴とする３Ｄモデル設計方法。
【請求項６】
３Ｄモデル設計システムに、
建設物が設置される予定の区画の緯度経度情報を取得する区画情報取得ステップ、
前記建設物の３Ｄモデル設計物を設計する設計ステップ、
前記設計された３Ｄモデル設計物の寸法を算出する寸法算出ステップ、
前記算出された寸法に基づいて、前記３Ｄモデル設計物に前記緯度経度情報を付与する緯度経度付与ステップ、
前記３Ｄモデル設計物上に位置する座標の指定を受け付ける入力ステップ、
を実行させ、
前記緯度経度付与ステップでは、前記３Ｄモデル設計物上の指定された座標に対して、緯度経度算出済みの近傍の座標から、前記指定された座標へのベクトルを実際の寸法に換算した値をもとに、緯度経度情報を付与することを実行させるためのコンピュータ読み取り可能なプログラム。
【国際調査報告】
2017168621.tif 000008
2017168621.tif 000009
2017168621.tif 000010